(57)【要約】【課題】吸水性部材の水分を長時間に亘って保持することができるとともに、冷却具本体の全体で均一に冷却することのできる人体用頭部冷却具を提供する。【解決手段】冷却具本体１の表面側部材１ａを光反射性の部材によって形成したので、冷却具本体１内まで直射日光が透過することがなく、冷却具本体１内の吸水シート２の温度上昇を抑制することができる。これにより、吸水シート２が直射日光によって容易に蒸発することがない。また、冷却具本体１の裏面側部材１ｂを通水性の部材によって形成したので、各吸水シート２の水分を裏面側部材１ｂを通じて人体Ａに接触させることができる。この場合、冷却具本体１の上方の吸水シート２を下方の吸水シート２よりも吸水量が多くなるようにしたので、吸水シート２に吸収された水分が徐々に下方に移動しても、上方の吸水シート２が容易に乾燥することがない。【選択図】図３
2006214064.tif 000002
【特許請求の範囲】
【請求項１】
人体の後頭部及びその周囲を覆うように形成された冷却具本体と、冷却具本体内に設けられたシート状の吸水性部材と、ヘルメット等の頭部装着物の後端側に取付けるための取付部とを備え、吸水性部材に水を吸収させて使用する人体用頭部冷却具において、
前記冷却具本体の表面側を光反射性の部材によって形成するとともに、冷却具本体の裏面側を通水性の部材によって形成し、
冷却具本体の上下方向略中央よりも上方には下方よりも吸水量の多い吸水性部材を配置した
ことを特徴とする人体用頭部冷却具。
【請求項２】
前記冷却具本体の表面側部材と吸水性部材との間に、冷却具本体の厚さ方向に空間を形成するスペーサ部材を設けた
ことを特徴とする請求項１記載の人体用頭部冷却具。
【発明の詳細な説明】
【技術分野】
【０００１】
本発明は、工事現場等で使用されるヘルメット、或いは帽子等に装着され、人体の後頭部及びその周囲を冷却するための人体用頭部冷却具に関するものである。
【背景技術】
【０００２】
従来、この種の人体用頭部冷却具としては、人体の後頭部及びその周囲を覆うように形成された冷却具本体と、冷却具本体内に設けられたシート状の吸水性部材と、ヘルメット等の頭部装着物の後端側に取付けるための取付部とを備え、吸水性部材に水を吸収させて使用することにより、人体の後頭部及びその周囲を冷却具本体で直射日光から遮るとともに、吸水性部材に吸収させた水分によって冷却するようにしたものが知られている（例えば、特許文献１参照。）。
【特許文献１】特開２００１−１４６６２１号公報
【発明の開示】
【発明が解決しようとする課題】
【０００３】
しかしながら、従来の人体用頭部冷却具では、冷却具本体によって人体への直射日光を遮ることはできるが、冷却具本体が直射日光を受けることにより内部の吸水性部材の温度が上昇し、水分が短時間で蒸発し易いという問題点があった。また、吸水性部材に吸収された水分は徐々に下方に移動するため、吸水性部材が常に上部から乾燥することになり、冷却具本体の全体で均一に冷却することができないという問題点があった。
【０００４】
本発明は前記問題点に鑑みてなされたものであり、その目的とするところは、吸水性部材の水分を長時間に亘って保持することができるとともに、冷却具本体の全体で均一に冷却することのできる人体用頭部冷却具を提供することにある。
【課題を解決するための手段】
【０００５】
本発明は前記目的を達成するために、人体の後頭部及びその周囲を覆うように形成された冷却具本体と、冷却具本体内に設けられたシート状の吸水性部材と、ヘルメット等の頭部装着物の後端側に取付けるための取付部とを備え、吸水性部材に水を吸収させて使用する人体用頭部冷却具において、前記冷却具本体の表面側を光反射性の部材によって形成するとともに、冷却具本体の裏面側を通水性の部材によって形成し、冷却具本体の上下方向略中央よりも上方には下方よりも吸水量の多い吸水性部材を配置している。
【０００６】
これにより、冷却具本体が受ける直射日光は光反射性の表面側の部材によって反射することから、冷却具本体内まで直射日光が透過することがない。また、吸水性部材の水分は通水性の裏面側部材を通じて人体に接触し、吸水性部材の水分によって人体が冷却される。その際、吸水性部材に吸収された水分が徐々に下方に移動しても、冷却具本体の上方の吸水性部材は下方の吸水性部材よりも吸水量が多くなっているため、上方の吸水性部材の乾燥が抑制される。
【発明の効果】
【０００７】
本発明の人体用頭部冷却具によれば、冷却具本体内まで直射日光が透過することがないので、冷却具本体内の吸水性部材の温度上昇を抑制することができ、吸水性部材の水分を長時間に亘って保持することができる。また、吸水性部材の水分を冷却具本体の裏面側から人体に接触させることができるので、吸水性部材の水分による冷却効果を高めることができる。この場合、吸水性部材に吸収された水分が徐々に下方に移動しても、上方の吸水性部材が容易に乾燥することがないので、冷却具本体の全体で均一に冷却することができる。
【発明を実施するための最良の形態】
【０００８】
図１乃至図５は本発明の一実施形態を示すもので、図１は人体用頭部冷却具の正面図、図２はその背面図、図３はその分解斜視図、図４はその概略側面断面図、図５はその使用状態を示す図である。
【０００９】
この人体用頭部冷却具は、人体Ａの後頭部及びその周囲を覆うように形成された可撓性の冷却具本体１と、冷却具本体１内に設けられた複数の吸水シート２と、頭部装着物としてのヘルメットＢの後端側に取付けるための一対の取付部３とを備えている。
【００１０】
冷却具本体１は、表側に配置される表面側部材１ａと、裏側に配置される裏面側部材１ｂと、表面側部材１ａの内側に配置されるスペーサ部材１ｃとからなり、各部材１ａ，１ｂ，１ｃはそれぞれ略四角形状に形成されている。表面側部材１ａは光反射性を有する部材からなり、例えば表面にアルミニウム粉のコーティングを施したポリエステル生地によって形成されている。裏面側部材１ｂは通水性を有する部材からなり、例えばメッシュ状のポリエステル生地によって形成されている。スペーサ部材１ｃは冷却具本体１の厚さ方向に空間を形成可能な部材からなり、例えば裏面側部材１ｂと同様のメッシュ状のポリエステル生地によって形成されている。各部材１ａ，１ｂ，１ｃは互いに周縁に沿って逢着され、その上下方向略中央を幅方向に直線状に逢着されている。これにより、冷却具本体１内の上部及び下部には、それぞれ吸水シート２の収納部１ｄ，１ｅが形成されている。
【００１１】
各吸水シート２は、綿を主材料とする周知の吸水性部材からなり、冷却具本体１の裏面側部材１ｂとスペーサ部材１ｃとの間に配置されている。この場合、冷却具本体１の上側収納部１ｄには二枚の吸水シート２が厚さ方向に重ねて収納されるとともに、下側収納部１ｅには一枚の吸水シート２が収納されている。即ち、冷却具本体１の上方の吸水シート２が下方の吸水シート２よりも吸水量が多くなるように構成されている。
【００１２】
各取付部３はそれぞれ表面側部材１ａの幅方向両端側に配置され、その一端側を表面側部材１ａの表面に接合されている。各取付部の一方の面には、例えば周知のマジックテープ（登録商標）からなる着脱自在なファスナ３ａが設けられ、ファスナ３ａによって取付部３の一端側と他端側とを連結できるようになっている。
【００１３】
以上のように構成された人体用冷却具は、図５に示すように各取付部３によってヘルメットＢのバックバンドＣに取付けられる。この場合、各取付部３はバックバンドＣに通してファスナ３ａで両端を連結することにより、ヘルメットＢに取付けられる。また、各吸水シート２には予め水分を吸収させておく。
【００１４】
これにより、人体Ａの後頭部及びその周囲が冷却具本体１の冷却具本体１によって覆われることから、冷却具本体１によって人体Ａへの直射日光が遮られる。この場合、冷却具本体１が受ける直射日光は光反射性の表面側部材１ａによって反射することから、冷却具本体１内まで直射日光が透過することがない。また、各吸水シート２の水分は通水性の裏面側部材１ｂを通じて人体Ａに接触し、各吸水シート２の水分によって人体Ａが冷却される。その際、吸水シート２に吸収された水分が徐々に下方に移動しても、冷却具本体１の上方の吸水シート２は下方の吸水シート２よりも吸水量が多くなっているため、上方の吸水シート２の乾燥が抑制される。また、各吸水シート２と表面側部材１ａとの間には、スペーサ部材１ｃによって冷却具本体１の厚さ方向に空間が形成されることから、各吸水シート２が表面側部材１ａに接触することがなく、表面側部材１ａの熱が各吸水シート２に直接伝わることがない。
【００１５】
このように、本実施形態の人体用冷却具によれば、冷却具本体１の表面側部材１ａを光反射性の部材によって形成したので、冷却具本体１内まで直射日光が透過することがなく、冷却具本体１内の吸水シート２の温度上昇を抑制することができる。これにより、吸水シート２が直射日光によって容易に蒸発することがなく、吸水シート２の水分を長時間に亘って保持することができる。また、冷却具本体１の裏面側部材１ｂを通水性の部材によって形成したので、各吸水シート２の水分を裏面側部材１ｂを通じて人体Ａに接触させることができ、各吸水シート２の水分による冷却効果を高めることができる。この場合、冷却具本体１の上方の吸水シート２を下方の吸水シート２よりも吸水量が多くなるようにしたので、吸水シート２に吸収された水分が徐々に下方に移動しても、上方の吸水シート２が容易に乾燥することがなく、冷却具本体１の全体で均一に冷却することができる。
【００１６】
また、冷却具本体１の表面側部材１ａと吸水シート２との間に、冷却具本体１の厚さ方向に空間を形成するスペーサ部材１ｃを設けたので、表面側部材１ａの熱が各吸水シート２に直接伝わることがなく、表面側部材１ａからの熱伝達による吸水シート２の温度上昇を抑制することができる。
【００１７】
尚、前記実施形態で示した各部材１ａ，１ｂ，１ｃの材料は一例であり、同等の機能を有するものであれば他の種類の材料を用いることも可能である。
【００１８】
また、前記実施形態では、ヘルメットＡに取付けて使用する場合を示したが、例えば帽子等、他の頭部装着物に取付けて使用することもできる。
【図面の簡単な説明】
【００１９】
【図１】本発明の一実施形態を示す人体用頭部冷却具の正面図
【図２】人体用頭部冷却具の背面図
【図３】人体用頭部冷却具の分解斜視図
【図４】人体用頭部冷却具の概略側面断面図
【図５】人体用頭部冷却具の使用状態を示す図
【符号の説明】
【００２０】
１…冷却具本体、１ａ…表面側部材、１ｂ…裏面側部材、１ｃ…スペーサ部材、２…吸水シート、３…取付部、Ａ…人体、Ｂ…ヘルメット。
【図１】
2006214064.tif 000003
【図２】
2006214064.tif 000004
【図３】
2006214064.tif 000005
【図４】
2006214064.tif 000006
【図５】
2006214064.tif 000007